(57)【特許請求の範囲】
【請求項１】
魚釣りに用いる釣竿であって、
竿体と、
前記竿体の竿元側周面に設けられリールを脱着自在に装着可能なリールシートと、
前記竿体の竿元側端部に形成され、前記リールシートのリール装着方向から押しつぶしたような形状の本体部と、
前記本体部側面に装着された保護部材とを有する扁平部とを備え、
前記扁平部の本体部側面には溝部が形成されており、
前記保護部材は前記溝部にはめ込まれて固定され、かつ、前記本体部側面より外方に突出するよう形成されている、
釣竿。
【請求項２】
前記溝部は前記本体部の左右側面及び竿元側側面に連続して形成されている、請求項１に記載の釣竿。
【請求項３】
前記溝部は複数設けられており、前記保護部材は前記複数の溝部にそれぞれはめ込まれて固定されている、請求項１に記載の釣竿。
【請求項４】
魚釣りに用いる釣竿であって、
竿体と、
前記竿体の竿元側周面に設けられリールを脱着自在に装着可能なリールシートと、
前記竿体の竿元側端部に形成され、前記リールシートのリール装着方向から押しつぶしたような形状の本体部と、
前記本体部側面に装着された保護部材とを有する扁平部とを備え、
前記扁平部の本体部の竿元側側面には竿体の長手方向に形成された孔部が形成されており、
前記保護部材は前記孔部にはめ込まれて固定され、かつ、前記竿元側側面より外方に突出するよう形成されている、
釣竿。
【請求項５】
前記保護部材は前記孔部に脱着自在に固定されている、請求項４に記載の釣竿。
【請求項６】
前記保護部材は周方向に形成された固定溝を有している、請求項４又は５に記載の釣竿。
【請求項７】
前記保護部材は弾性部材である、請求項１〜６のいずれかに記載の釣竿。
【発明の詳細な説明】
【０００１】
【発明の属する技術分野】
本発明は、魚釣りに用いる釣竿に関する。
【０００２】
【従来の技術】
従来の釣竿、特に、鯛竿などには、竿体と、竿体の竿元側に配置されリールを装着するためのリールシートと、竿体の竿元側端部に形成された扁平部とを有したものがある。竿体のリールシートのリール装着方向の径方向を上下方向とすると、この扁平部は、上下方向から押しつぶされて扁平化され、他の部分より左右方向にやや突出して形成されている。
【０００３】
このような従来の釣竿では、竿体の竿元側端部を竿受けに固定して用いる場合には扁平部を竿受けに配置して固定する。ここで、扁平部は所定の形状に形成されているので、竿受けに竿体を容易に固定できる。
【０００４】
【発明が解決しようとする課題】
上記従来の釣竿の扁平部は、竿受けに固定しやすいように、木材，金属，プラスチック等の比較的硬質の部材によって形成されている。しかし、釣竿の扁平部は、竿受けに固定するために用いられる他に、釣人がこの扁平部を自らの身体に押し当てて固定しながら釣りを行うために用いられる場合がある。ここで、長時間扁平部を身体に押し当てて釣りを行うのは、扁平部と身体との接触部分が痛くなり困難に成る恐れがある。
【０００５】
また、竿体の竿元側に形成される扁平部は、岩場等において岩等の障害物に接触する可能性も高く損傷しやすい。
本発明の課題は、長時間身体に竿体を押し当てながら容易に釣り操作を行うことができ、また、破損しにくい釣竿を提供することにある。
【０００６】
【課題を解決するための手段】
発明１にかかる釣竿は、魚釣りに用いる釣竿であって、竿体と、竿体の竿元側周面に設けられリールを脱着自在に装着可能なリールシートと、竿体の竿元側端部に形成され、前記リールシートのリール装着方向から押しつぶしたような形状の本体部と、本体部側面に装着された保護部材とを有する扁平部とを備え、扁平部の本体部側面には溝部が形成されており、保護部材は溝部にはめ込まれて固定され、かつ、本体部側面より外方に突出するよう形成されている。
【０００７】
この場合には、釣人は、リールシートのリール装着方向（以下、上下方向という）から押しつぶされたように形成された本体部を、例えば、腹部や足の付け根等に押し当てて十分に固定して釣りを行う。ここで、本体部の側面には保護部材が本体部側面より外方に突出するように配置され、釣人の身体に直接接触する部分を覆っているので長時間身体に本体部を押しつけていても痛くない。また、この扁平部を竿受け等に固定する際にも竿受け及び釣竿を互いに傷付けてしまうこともない。さらに、保護部材が竿体の竿元側端部の側面部分を覆っているので、岩場等で岩等の障害物に接触した際の損傷を防止できる。
【０００８】
また、扁平部の本体部側面には溝部が形成されており、保護部材は溝部にはめ込まれて固定されているので、保護部材が本体部から外れにくく耐久性がさらに向上する。さらに、保護部材を容易に本体部側面に配置可能であり製造も容易になる。
【０００９】
発明２にかかる釣竿は、発明１の釣竿であって、溝部は本体部の左右側面及び竿元側側面に連続して形成されている。この場合には、溝部が左右側面及び竿元側端面に連続して形成されており、この溝部に連続して保護部材が配置されているので、扁平部の側面を十分に保護できる。
【００１０】
発明３にかかる釣竿は、発明１の釣竿であって、溝部は複数設けられており、保護部材は複数の溝部にそれぞれはめ込まれて固定されている。この場合には、複数の溝部に複数の保護部材が配置されており、扁平部の側面を十分に保護できる。
発明４にかかる釣竿は、魚釣りに用いる釣竿であって、竿体と、竿体の竿元側周面に設けられリールを脱着自在に装着可能なリールシートと、竿体の竿元側端部に形成され、リールシートのリール装着方向から押しつぶしたような形状の本体部と、本体部側面に装着された保護部材とを有する扁平部とを備え、扁平部の本体部の竿元側側面には竿体の長手方向に形成された孔部が形成されており、保護部材は孔部にはめ込まれて固定され、かつ、竿元側側面より外方に突出するよう形成されている。
【００１１】
この場合には、特に痛みやすくまた身体に直接押しつける部分である扁平部の竿元側側面を保護部材が十分に保護する。発明５にかかる釣竿は、発明４の釣竿であって、保護部材は孔部に脱着自在に固定されている。この場合には、用途に応じて保護部材を脱着して釣竿を用いることが可能である。
【００１２】
発明６にかかる釣竿は、発明４又は５にかかる釣竿であって、保護部材は周方向に形成された固定溝を有している。この場合には、固定溝が保護部材の孔部への固定力を向上させ安定させる。発明７にかかる釣竿は、発明１〜６の釣竿であって、保護部材は弾性部材である。
【００１３】
【発明の実施の形態】
［第１実施形態］
以下、本発明の第１実施形態について、図面を参照しつつ説明する。
本発明の第１実施形態を採用した釣竿は、図１に示すように、穂先側に複数の竿体が連結される元竿１と、元竿１の竿元側に配置されリール（図示せず）を脱着自在に装着可能なリールシート２と、リールシート２の穂先側の元竿１の周面に配置されるグリップ３と、元竿１の竿元側端部に形成された扁平部６とを有している。
【００１４】
元竿１及びその穂先側に連結される複数の竿体は、それぞれ炭素繊維またはガラス繊維等の強化繊維に合成樹脂を含浸させたプリプレグをマンドレルに巻回し焼成して得られた先細り筒状部材である。元竿１の穂先側にはリールからの釣糸を元竿１内に挿入する釣糸導入孔４が形成されており、リールからの釣糸は釣糸導入孔４から元竿１内に挿入され、順次穂先側の竿体内を通過して穂先側先端に形成されるトップガイド５から外部に導出される。
【００１５】
リールシート２は、図１に示すように、元竿１の外周に装着された本体部２０と、移動シート部２１とを有している。本体部２０は、内部に元竿１が貫通して装着される合成樹脂または金属からなる変形筒状部材である。本体部２０は、リールの脚部の一端を係止するための固定フード２３と、脚部を載置するための載置部２４とが形成されている。一方、移動シート部２１は元竿１の外周に形成されたねじ部（図示せず）に螺合しながら軸方向に移動可能であり、固定フード２３に対向して配置されリールの脚部の他端を覆いながら係止可能である。
【００１６】
扁平部６は、図２及び図３に詳しく示すように、リールシート２の形成された部分の固定フード２３及び載置部２４が形成された部分の径方向（以下、上下方向という）から押しつぶしたような形状の本体部１１と、本体部１１の左右側面から竿元側側面にかけて連続して形成された溝部１５と、溝部１５に配置されるゴム部材（保護部材）１６とを有している。
【００１７】
本体部１１は、木材，金属，硬質プラスチック等から形成される部材であって、上下方向に押しつぶされ左右方向に元竿１より幅広に形成されている。竿元側ほど上下方向の厚さが徐々に薄くなるように形成されており、上面（リールシート２の固定フード２３及び載置部２４が形成された側の面）の軸方向中央付近に左右方向にわたって凹部１３が形成されている。そして、この凹部１３の中央付近には貫通孔１４が上下方向に貫通している。この貫通孔１４は、例えば、杭などを貫通させて地面などに釣竿を十分に固定するために用いることも可能である。また、本体部１１は元竿１の竿元側端部に穂先側の一部が挿入されており、金属製の筒状部材１２によって元竿１に十分に固定されている。
【００１８】
図４に示すように、ゴム部材１６はシリコンゴムやウレタンゴム等の弾性ゴムからなるコの字型部材である。本体部１１の左右側面及び竿元側側面には連続して形成された溝部１５にはめ込まれるようにして配置され、例えば、接着剤等によって接着固定されている。このゴム部材１６は本体部１１の側面より外方に突出するように形成されている。
【００１９】
このように構成された釣竿では、釣人は、上下方向から押しつぶされたように形成された扁平部６の本体部１１を、例えば、腹部や足の付け根等に押し当てて十分に固定して釣りを行う。ここで、本体部１１の左右側面及び竿元側側面には保護部材１６が配置され、釣人の身体に直接接触する部分を覆っているので長時間身体に本体部１１を押しつけていても痛くない。この結果、長時間にわたって安定した状態で釣竿を支持可能である。なお、保護部材１６は本体部１１の溝部１５にはめ込まれるようにして固定されており、耐久性に優れると共に配置しやすく製造が容易である。
【００２０】
また、この扁平部６を竿受け等に固定する際にも竿受け及び釣竿を互いに傷付けてしまうこともない。さらに、保護部材１６が竿体の竿元側端部の側面部分を覆っているので、岩場等で岩等の障害物に接触した際の損傷を防止できる。特に、保護部材１６が本体部１１の左右側面及び竿元側側面を連続して覆っているので、本体部１１の側面を十分に保護できる。
【００２１】
［第２実施形態］
以下、本発明の第２実施形態について、図面を参照しつつ説明する。
本発明の第２実施形態を採用した釣竿は、第１実施形態と同様に、穂先側に複数の竿体が連結される元竿１と、元竿１の竿元側に配置されリール（図示せず）を脱着自在に装着可能なリールシート２と、リールシート２の穂先側の元竿１の周面に配置されるグリップ３と、元竿１の竿元側端部に形成された扁平部２６とを有している。
【００２２】
図５に示すように、扁平部２６は、上下方向というから押しつぶしたような形状の本体部３１と、本体部３１の左右側面から竿元側側面にかけて連続して上下方向に並列して形成された２つの溝部３５と、溝部３５に配置されるゴム部材（保護部材）３６とを有している。
本体部３１は、木材，金属，硬質プラスチック等から形成される部材であって、上下方向に押しつぶされ左右方向に元竿１より幅広に形成されている。竿元側ほど上下方向の厚さが徐々に薄くなるように形成されており、上面の軸方向中央付近に左右方向にわたって凹部３３が形成されている。そして、この凹部３３の中央付近には貫通孔３４が上下方向に貫通している。
【００２３】
なお、その他の構成は第１実施形態と同様であり、説明を省略する。
このように構成された釣竿では、第１実施形態と同様の作用効果を奏する。
［第３実施形態］
以下、本発明の第３実施形態について、図面を参照しつつ説明する。
本発明の第３実施形態を採用した釣竿は、第１実施形態と同様に、穂先側に複数の竿体が連結される元竿１と、元竿１の竿元側に配置されリール（図示せず）を脱着自在に装着可能なリールシート２と、リールシート２の穂先側の元竿１の周面に配置されるグリップ３と、元竿１の竿元側端部に連結された扁平部４６とを有している。
【００２４】
図６及び図７に示すように、扁平部４６は、上下方向というから押しつぶしたような形状の本体部５１と、本体部５１の竿元側側面から上下平面にかけて連続して配置され左右方向に並列して形成された３つの溝部５５と、溝部５５に配置される合成樹脂製の保護部材５６とを有している。
本体部５１は、木材，金属，硬質プラスチック等から形成される部材であって、上下方向に押しつぶされ左右方向に元竿１より幅広に形成されている。竿元側ほど上下方向の厚さが徐々に薄くなるように形成されており、上面の軸方向中央付近に左右方向にわたって凹部５３が形成されている。そして、この凹部５３の中央付近には貫通孔５４が上下方向に貫通している。
【００２５】
なお、その他の構成は第１実施形態と同様であり、説明を省略する。このように構成された釣竿では、釣人は、扁平部４６の本体部５１を、例えば、腹部や足の付け根等に押し当てて十分に固定して釣りを行う。ここで、本体部５１の竿元側側面には複数の保護部材５６が配置され、釣人の身体に直接接触する部分を覆っているので本体部５１を押しつけていても本体部５１が滑りにくい。この結果、長時間にわたって安定した状態で釣竿を支持可能である。なお、保護部材５６は本体部５１の溝部５５にはめ込まれるようにして固定されており、耐久性に優れると共に配置しやすく製造が容易である。
【００２６】
また、この扁平部４６を竿受け等に固定する際にも竿受け及び釣竿を互いに傷付けてしまうこともない。さらに、保護部材５６が竿体の竿元側端部の側面部分を覆っているので、岩場等で岩等の障害物に接触した際の損傷を防止できる。
［第４実施形態］
以下、本発明の第４実施形態について、図面を参照しつつ説明する。
【００２７】
本発明の第４実施形態を採用した釣竿は、第１実施形態と同様に、穂先側に複数の竿体が連結される元竿１と、元竿１の竿元側に配置されリール（図示せず）を脱着自在に装着可能なリールシート２と、リールシート２の穂先側の元竿１の周面に配置されるグリップ３と、元竿１の竿元側端部に連結された扁平部６６とを有している。
【００２８】
図８及び図９に示すように、扁平部６６は、上下方向というから押しつぶしたような形状の本体部７１と、本体部７１の竿元側側面に左右方向に間隔を隔てて並列して竿体１の長手方向に形成された３つの孔部７５と、孔部７５に挿入され固定された合成樹脂製の保護部材７６とを有している。
本体部７１は、木材，金属，硬質プラスチック等から形成される部材であって、上下方向に押しつぶされ左右方向に元竿１より幅広に形成されている。竿元側ほど上下方向の厚さが徐々に薄くなるように形成されており、上面の軸方向中央付近に左右方向にわたって凹部７３が形成されている。そして、この凹部７３の中央付近には貫通孔７４が上下方向に貫通している。また、本体部７１の竿元側側面は縁部が面取りされており、この竿元側側面に３つの孔部７５が形成されている。
【００２９】
保護部材７６は、図１０に詳しく示すように、NBR等の比較的硬質の合成樹脂から形成されたバレット状の部材である。この保護部材７６は、側周面に周方向全体にわたって形成された係止溝７6aを有すると共に、底面側から長手方向に長手方向中央付近まで孔７6bが削作して設けられている。そして、底面側より本体部７１の孔部７５に挿入され接着剤等で固定されている。
【００３０】
このように構成された釣竿では、釣人は、扁平部６６の本体部７１を、例えば、例えば、腹部や足の付け根等に押し当てて十分に固定して釣りを行う。ここで、本体部７１の竿元側側面には複数の保護部材７６が配置され、釣人の身体に直接接触する部分を覆っているので本体部７１を押しつけていても滑りにくい。また、地面等に釣竿を打ち付けて固定する際にも扁平部７１の竿元側側面を地面等に擦って損傷するのを防止可能であり、その際の横滑りも防止し得る。
【００３１】
［他の実施形態］
（ａ）本発明は中通し竿，外通し竿のいずれにも適応可能であり、また、振出形式，並継形式のいずれにも適応可能である。
（ｂ）保護部材は、扁平部の左右側面または竿元側側面のいずれかのみに設けてもよい。また、プラスチック等の合成樹脂やコルク材などによって保護部材を構成してもよい。
（ｃ）扁平部の形状は上記実施形態に限定されるものではない。例えば、左右方向から押しつぶされたような本体部を有するものでもよい。
（ｄ）上記実施形態では、扁平部は竿体と別体として形成して竿体に固定しているが、竿体の竿元側端部自体を扁平部として用いてもよい。
（ｅ）第４実施形態において、孔部７５内周面にねじ山を形成すると共に保護部材７６側周面にもねじ山を形成し、保護部材７６を脱着自在に形成してもよい。
【００３２】
この場合には、損傷した保護部材７６を必要に応じて任意に交換可能にもなる。
【００３３】
【発明の効果】
本発明にかかる釣竿によれば、長時間にわたって竿体の竿元側端部の扁平部を支持可能であり、また、扁平部を損傷しにくい。
【図面の簡単な説明】
【図１】本発明の第１実施形態を採用した釣竿の全体図。
【図２】図１の扁平部６の上面図（ａ）と側面図（ｂ）。
【図３】図１の扁平部６の竿元側側面図。
【図４】保護部材を示した図。
【図５】本発明の第２実施形態を採用した釣竿の扁平部２６の上面図（ａ）と側面図（ｂ）。
【図６】本発明の第３実施形態を採用した釣竿の扁平部４６の上面図（ａ）と側面図（ｂ）。
【図７】図６の扁平部４６の竿元側側面図。
【図８】本発明の第３実施形態を採用した釣竿の扁平部６６の上面図（ａ）と側面図（ｂ）。
【図９】図８の扁平部４６の竿元側側面図。
【図１０】図８の保護部材７６を示した図。
【符号の説明】
１  元竿
２  リールシート
６，２６，４６，６６  扁平部
１１，３１，５１，７１  本体部
１２  筒状部材
１３，３３，５３，７３  凹部
１４，３４，５４，７４  貫通孔
１５，３５，５５，７５  溝部
１６，３６，５６，７６  保護部材
【図１】
0004367812.tif 000002
【図２】
0004367812.tif 000003
【図３】
0004367812.tif 000004
【図４】
0004367812.tif 000005
【図５】
0004367812.tif 000006
【図６】
0004367812.tif 000007
【図７】
0004367812.tif 000008
【図８】
0004367812.tif 000009
【図９】
0004367812.tif 000010
【図１０】
0004367812.tif 000011